(57)【要約】  【課題】トランクボードの突出部が溝部の上端側から不用意に溝部を通って下方へ移動することを防止して、トランクボードを下方位置と上方位置の一方から他方へ切換える作業をスムーズに容易に行うことができる、しかも、構造を簡単化して前記効果を達成できる、自動車の後部荷室構造を提供する。  【解決手段】トランクボード１１に左右１対の突出部２３が車幅方向両外側へ突出状に設けられ、各リヤサイドトリム７に、上方位置のトランクボード１１を支持する前棚部３１と後棚部４０と、トランクボード１１を下方位置と上方位置の一方から他方へ切換える際に突出部２３を通過させる傾斜状の溝部１４が設けられ、トランクボード１１が水平姿勢のときに突出部２３の上下厚さが溝部１４の溝幅よりも小さくなるように且つ突出部２３の前後幅が溝部１４の前後幅よりも大きくなるようにする。【選択図】図３
2008150003.tif 000002
【特許請求の範囲】
【請求項１】
自動車の後部荷室に設置されるトランクボードを所定の下方位置と上方位置とに択一的に切換えて前記両位置に夫々水平姿勢で保持可能に構成された自動車の後部荷室構造において、
前記トランクボードに車幅方向両外側へ突出状に設けられた左右１対の突出部と、
前記後部荷室の左右１対のサイドトリムに車幅方向内方へ凸状に設けられ、上方位置のトランクボードの１対の突出部を含む車幅方向両外縁部を支持する左右１対の棚部と、
前記１対のサイドトリムに車幅方向内方へ開口するように設けられ、トランクボードを下方位置と上方位置の一方から他方へ切換える際に前記１対の突出部を夫々通過させる左右１対の傾斜状の溝部とを備え、
前記トランクボードが水平姿勢のときに前記突出部の上下厚さが前記溝部の溝幅よりも小さくなるように且つ前記突出部の前後幅が前記溝部の前後幅よりも大きくなるように、前記突出部と溝部が形成されたことを特徴とする自動車の後部荷室構造。
【請求項２】
前記突出部がトランクボードの前端部分に設けられ、前記１対の棚部としてトランクボードの突出部を支持する左右１対の前棚部とトランクボードの後部を支持する左右１対の後棚部とが設けられ、前記溝部が前棚部から連続して前方程下方へ移行する傾斜状に形成されたことを特徴とする請求項１に記載の自動車の後部荷室構造。
【請求項３】
前記後部荷室のフロアの近傍部に下方位置のトランクボードの前端部を支持する支持部が設けられ、この支持部を支点にトランクボードを上方へ回動可能に構成されたことを特徴とする請求項２に記載の自動車の後部荷室構造。
【請求項４】
前記トランクボードは、ボード本体と、このボード本体の後端部に下方へ折り曲げ可能に連結されたボード後部とを有し、
前記後棚部を形成する後棚部材は、トランクボードが下方位置に水平姿勢で位置しているときのボード後部の上側に位置するとともに、トランクボードを前記支持部を支点に上方へ回動させた際にボード後部を下方へ折り曲げて上方へ通過させ得るボード後部案内部を有することを特徴とする請求項３に記載の自動車の後部荷室構造。
【請求項５】
前記支持部が前棚部よりも前方且つ下方に設けられ、
前記トランクボードを前記支持部を支点に上方へ回動させた際に前記突出部が前棚部を形成する前棚部材と干渉しないように、前記突出部を逃す逃し部が前棚部材の下側に形成されたことを特徴とする請求項４に記載の自動車の後部荷室構造。
【請求項６】
前記トランクボードが上方位置に位置しているときに、ボード本体が前棚部及び後棚部に支持されるとともに、ボード後部が下方へ折り曲げられた状態でボード本体と後部荷室のフロアとの間の後端を塞ぐことを特徴とする請求項４に記載の自動車の後部荷室構造。
【請求項７】
前記各サイドトリムには、その前部にトリム前側壁が形成されるとともに、その後部にトリム前側壁よりも車幅方向内側に位置するトリム後側壁が形成され、
前記トリム前側壁に前棚部が車幅方向内方へ凸状に設けられ、トリム後側壁に後棚部が車幅方向内方へ凸状に設けられ、トリム後側壁の前端縁と前棚部を形成する前棚部材との間に前記溝部が形成されたことを特徴とする請求項２に記載の自動車の後部荷室構造。
【発明の詳細な説明】
【技術分野】
【０００１】
一般に、自動車（特に、乗用車）には後部荷室が設けられ、その後部荷室に後部荷室フロア（フロアパネル）の上側を覆うトランクボードが設置されている。通常、トランクボードは、後部荷室の荷物収容空間をできるだけ大きくして、後部荷室に収容された荷物を水平に載置できるように、後部荷室フロアに接近した位置に水平姿勢で保持されている。
【０００２】
一般に、後部荷室フロアにはタイヤや工具等の収容凹部が形成されているが、トランクボードは収容凹部をカバーして、荷物用の広い水平載置部を確保する一方、容易に持ち上げられて収容凹部を開放できるようになっている。
【０００３】
ところで、近年、自動車の後部荷室の利便性を高める（有効利用を図る）ために、後部荷室に設置されるトランクボードを所定の下方位置（通常のトランクボード保持位置）と上方位置とに択一的に切換えて前記両位置に夫々水平姿勢で保持可能に構成された後部荷室構造が実用に供されている（例えば、特許文献１参照）。
【０００４】
特許文献１の後部荷室構造では、後部荷室の各サイドトリムに、車幅方向内方へ開口した下横溝と上横溝と傾斜溝が形成されている。下横溝と上横溝は夫々下方位置と上方位置に対応する溝であり、傾斜溝は前方程下方へ移行する傾斜状に形成されて、下横溝及び上横溝の後端に接続されている。トランクボードの前端部分に車幅方向両外側へ突出する左右１対の突出部が設けられ、各突出部が側面視円形に形成されて、下横溝、上横溝、傾斜溝に移動自在に係合される。
【０００５】
また、後部荷室の各サイドトリムには、上横溝の後部上端と傾斜溝の上端を開閉する開閉部材（ガイド部材）が回動自在に装着されている。この開閉部材は、通常、上横溝の後部上端及び傾斜溝の上端を閉塞する閉位置にあり、この閉位置から回動して、上横溝の後部上端及び傾斜溝の上端を上方へ開放する開位置に切換えられる。
【０００６】
トランクボードを下方位置から上方位置へ切換える際には、トランクボードの突出部を、下横溝から傾斜溝を経由させ、突出部で開閉部材の後部を押し上げて開閉部材を閉位置から開位置へ回動させて、突出部を一旦外部へ外し、ここで、開閉部材は閉位置に戻るが、次に、突出部で開閉部材の前部を押し下げて開閉部材を閉位置から開位置へ回動させて、突出部を上横溝に係合させる。トランクボードを上方位置から下方位置へ切換える際には、突出部を上横溝から傾斜溝を経由させて下横溝へ係合させる。
【０００７】
【特許文献１】特開２００５−２１９７０２号公報
【発明の開示】
【発明が解決しようとする課題】
【０００８】
特許文献１の後部荷室構造のように、トランクボードを下方位置と上方位置とに択一的に切換えて前記両位置に夫々水平姿勢で保持可能に構成された後部荷室構造では、トランクボードに車幅方向両外側へ突出する突出部が設けられ、後部荷室のサイドトリムに、上方位置のトランクボードの突出部を支持する前棚部（上横溝の下壁）と、トランクボードを下方位置と上方位置の一方から他方へ切換える際に突出部を通過させる溝部（傾斜溝）が設けられている。
【０００９】
しかし、特許文献１の後部荷室構造では、トランクボードの突出部が側面視円形に形成され、トランクボードがどのような姿勢になっても、突出部が傾斜溝を通過可能であるため、後部荷室のサイドトリムに、下横溝、上横溝、傾斜溝を形成するだけでは、傾斜溝の上端側に位置する突出部が不用意に傾斜溝を通って下方へ移動する虞があり、こうしたことはトランクボードを下方位置から上方位置へ切換える際に起こり易く、このトランクボードの位置切換え作業をスムーズに容易に行うことが難しいという問題が生じる。
【００１０】
そこで、特許文献１の後部荷室構造では、上横溝の後部上端と傾斜溝の上端を開閉する開閉部材が設けられているが、この開閉部材をサイドトリムに可動に装着する必要があり、部品点数も多くなるため、また、サイドトリムに、下横溝、上横溝、傾斜溝を形成する必要があるので、後部荷室構造が複雑化する。しかも、トランクボードを下方位置から上方位置へ切換える際には、トランクボードの突出部を、下横溝から傾斜溝を経由させ、突出部で開閉部材の後部を押し上げて開閉部材を閉位置から開位置へ回動させて、突出部を一旦外部へ外し、ここで、開閉部材は閉位置に戻るが、次に、突出部で開閉部材の前部を押し下げて再度開閉部材を閉位置から開位置へ回動させて、突出部を上横溝に係合させるので、このトランクボードの位置切換え作業が非常に煩雑であり、また、こうした開閉部材の作動を伴う一連のトランクボードの位置切換え動作につい信頼性に欠ける虞がある。
【００１１】
本発明の目的は、特に、トランクボードを下方位置から上方位置へ切換える際に、トランクボードの突出部が溝部の上端側から不用意に溝部を通って下方へ移動することを防止して、トランクボードを下方位置と上方位置の一方から他方へ切換える作業をスムーズに容易に行うことができる、しかも、構造を簡単化して前記効果を達成できる、自動車の後部荷室構造を提供することである。
【課題を解決するための手段】
【００１２】
請求項１の自動車の後部荷室構造は、自動車の後部荷室に設置されるトランクボードを所定の下方位置と上方位置とに択一的に切換えて前記両位置に夫々水平姿勢で保持可能に構成された自動車の後部荷室構造において、前記トランクボードに車幅方向両外側へ突出状に設けられた左右１対の突出部と、前記後部荷室の左右１対のサイドトリムに車幅方向内方へ凸状に設けられ、上方位置のトランクボードの１対の突出部を含む車幅方向両外縁部を支持する左右１対の棚部と、前記１対のサイドトリムに車幅方向内方へ開口するように設けられ、トランクボードを下方位置と上方位置の一方から他方へ切換える際に前記１対の突出部を夫々通過させる左右１対の傾斜状の溝部とを備え、前記トランクボードが水平姿勢のときに前記突出部の上下厚さが前記溝部の溝幅よりも小さくなるように且つ前記突出部の前後幅が前記溝部の前後幅よりも大きくなるように、前記突出部と溝部が形成されたことを特徴とする。
【００１３】
この自動車の後部荷室構造では、トランクボードに左右１対の突出部が車幅方向両外側へ突出状に設けられ、後部荷室の左右１対のサイドトリムに左右１対の棚部が車幅方向内方へ凸状に設けられ、トランクボードが上方位置のときに、トランクボードの１対の突出部を含む車幅方向両外縁部が左右１対の棚部に支持されて、トランクボードが上方位置に水平姿勢で保持される。尚、トランクボードが下方位置のときに、トランクボードが後部荷室のフロアに支持されて、或いは、トランクボードの１対の突出部を含む車幅方向両外縁部が後部荷室の左右１対のサイドトリムに別途設けられた下側の左右１対の棚部に支持されて、トランクボードが下方位置に水平姿勢で保持される。
【００１４】
後部荷室の左右１対のサイドトリムに、左右１対の傾斜状の溝部が車幅方向内方へ開口するように設けられ、トランクボードを下方位置と上方位置の一方から他方へ切換える際に、トランクボードの１対の突出部を１対の溝部を通過させる。ここで、トランクボードが水平姿勢のときに突出部の上下厚さが溝部の溝幅よりも小さくなるように且つ突出部の前後幅が溝部の前後幅よりも大きくなるように、突出部と溝部が形成されている。
【００１５】
従って、トランクボードを溝部の傾斜角度と同角度になる傾斜姿勢にすると、突出部が溝部を通過可能になり、トランクボードを水平姿勢にすると、突出部が溝部を通過不能になる。ここで、突出部と溝部の前記大小関係を維持して、トランクボードの水平姿勢と前記傾斜姿勢の間の適当な角度を境にした姿勢切換えを行うことで、突出部の溝部への通過可能と通過不能との切換えを行うことができる。つまり、トランクボードを下方位置から上方位置へ切換える際に、突出部が溝部を下側から上側へ通過した後に、トランクボードを水平側へ倒すことで、突出部が不用意に溝部を通って下方へ移動することが防止され、このトランクボードの位置切換え作業がスムーズに容易に行われる。
【００１６】
ここで、請求項１の発明の従属請求項として次の構成を採用可能である。
前記突出部がトランクボードの前端部分に設けられ、前記１対の棚部としてトランクボードの突出部を支持する左右１対の前棚部とトランクボードの後部を支持する左右１対の後棚部とが設けられ、前記溝部が前棚部から連続して前方程下方へ移行する傾斜状に形成される（請求項２）。前記後部荷室のフロアの近傍部に下方位置のトランクボードの前端部を支持する支持部が設けられ、この支持部を支点にトランクボードを上方へ回動可能に構成される（請求項３）。
【００１７】
前記トランクボードは、ボード本体と、このボード本体の後端部に下方へ折り曲げ可能に連結されたボード後部とを有し、前記後棚部を形成する後棚部材は、トランクボードが下方位置に水平姿勢で位置しているときのボード後部の上側に位置するとともに、トランクボードを前記支持部を支点に上方へ回動させた際にボード後部を下方へ折り曲げて上方へ通過させ得るボード後部案内部を有する（請求項４）。前記支持部が前棚部よりも前方且つ下方に設けられ、前記トランクボードを前記支持部を支点に上方へ回動させた際に前記突出部が前棚部を形成する前棚部材と干渉しないように、前記突出部を逃す逃し部が前棚部材の下側に形成される（請求項５）。
【００１８】
前記トランクボードが上方位置に位置しているときに、ボード本体が前棚部及び後棚部に支持されるとともに、ボード後部が下方へ折り曲げられた状態でボード本体と後部荷室のフロアとの間の後端を塞ぐ（請求項６）。前記各サイドトリムには、その前部にトリム前側壁が形成されるとともに、その後部にトリム前側壁よりも車幅方向内側に位置するトリム後側壁が形成され、前記トリム前側壁に前棚部が車幅方向内方へ凸状に設けられ、トリム後側壁に後棚部が車幅方向内方へ凸状に設けられ、トリム後側壁の前端縁と前棚部を形成する前棚部材との間に前記溝部が形成される（請求項７）。
【発明の効果】
【００１９】
請求項１の自動車の後部荷室構造によれば、トランクボードに左右１対の突出部を車幅方向両外側へ突出状に設け、後部荷室の左右１対のサイドトリムに左右１対の棚部を車幅方向内方へ凸状に設け、後部荷室の左右１対のサイドトリムに左右１対の傾斜状の溝部を車幅方向内方へ開口するように設け、トランクボードを下方位置と上方位置の一方から他方へ切換える際に、トランクボードの１対の突出部を１対の溝部を通過させるが、トランクボードが水平姿勢のときに突出部の上下厚さが溝部の溝幅よりも小さくなるように且つ突出部の前後幅が溝部の前後幅よりも大きくなるように、突出部と溝部を形成した。
【００２０】
従って、トランクボードを溝部の傾斜角度と同角度になる傾斜姿勢にすると、突出部が溝部を通過可能になり、トランクボードを水平姿勢にすると、突出部が溝部を通過不能になり、突出部と溝部の前記大小関係を維持して、トランクボードの水平姿勢と前記傾斜姿勢の間の適当な角度を境にした姿勢切換えを行うことで、突出部の溝部への通過可能と通過不能との切換えを行うことができるので、トランクボードを下方位置から上方位置へ切換える際に、突出部が溝部を下側から上側へ通過した後に、トランクボードを水平側へ倒すことで、突出部が不用意に溝部を通って下方へ移動しないようになり、このトランクボードの位置切換え作業をスムーズに容易に行うことができ、その結果、後部荷室の使い勝手を良くして利便性を大幅に高めることができる。
【００２１】
しかも、棚部と溝部をサイドトリムに容易に設け一体形成することも可能であり、また、突出部もトランクボードに容易に設け一体形成することも可能であるので、部品点数の増加を抑えて構造を簡単化して、前記効果を達成でき、更に、特許文献１のような可動部材も不要であるので、トランクボードを下方位置と上方位置の一方から他方へ切換える動作の信頼性を長期に亙って確保できる。
【００２２】
請求項２の自動車の後部荷室構造によれば、突出部をトランクボードの前端部分に設けたので、トランクボードの形状を簡単化できて、トランクボードの生産性を高めることができ、１対の棚部としてトランクボードの突出部を支持する左右１対の前棚部とトランクボードの後部を支持する左右１対の後棚部とを設けたので、トランクボードを上方位置に水平姿勢で確実に保持でき、溝部を前棚部から連続して前方程下方へ移行する傾斜状に形成したので、トランクボードを前方程下方へ移行する傾斜姿勢にして、突出部を溝部を通過させることができ、トランクボードを下方位置と上方位置の一方から他方へ一層簡単に切換えることができる。
【００２３】
請求項３の自動車の後部荷室構造によれば、後部荷室のフロアの近傍部に下方位置のトランクボードの前端部を支持する支持部を設け、この支持部を支点にトランクボードを上方へ回動可能に構成したので、トランクボードを下方位置から上方位置へ切換える際に、水平姿勢のトランクボードを前記支持部を支点に上方へ回動させて前方程下方へ移行する傾斜姿勢に容易に切換えることができる。
【００２４】
請求項４の自動車の後部荷室構造によれば、トランクボードは、ボード本体と、このボード本体の後端部に下方へ折り曲げ可能に連結されたボード後部とを有し、後棚部を形成する後棚部材は、トランクボードが下方位置に水平姿勢で位置しているときのボード後部の上側に位置するとともに、トランクボードを前記支持部を支点に上方へ回動させた際にボード後部を下方へ折り曲げて上方へ通過させ得るボード後部案内部を有するので、後棚部材を後棚部で上方位置のトランクボードの後部を確実に支持できる位置に且つ高い支持剛性が得られる形状で設けるとともに、トランクボードを下方位置から上方位置へ切換える際に、ボード本体を持ってトランクボードを前記支持部を支点に上方へ回動させると、後棚部材のボード後部案内部でボード後部を自然に確実に下方へ折り曲げて後棚部材の上方へ通過させて、トランクボード（ボード本体）を前方程下方へ移行する傾斜姿勢に切換えることができる。
【００２５】
請求項５の自動車の後部荷室構造によれば、前記支持部を前棚部よりも前方且つ下方に設け、トランクボードを前記支持部を支点に上方へ回動させた際に突出部が前棚部を形成する前棚部材と干渉しないように、突出部を逃す逃し部を前棚部材の下側に形成したので、トランクボードを下方位置から上方位置へ切換える際に、突出部と溝部とが近い位置関係で、トランクボードを前記支持部を支点に上方へ回動させて前方程下方へ移行する傾斜姿勢に切換えることができ、依って、トランクボードの傾斜姿勢への切換え後に、突出部を溝部を通過させ易くでき、また、前棚部材を前棚部で上方位置のトランクボードの突出部を支持する高い支持剛性が得られる形状で設けることができる。
【００２６】
請求項６の自動車の後部荷室構造によれば、トランクボードが上方位置に位置しているときに、ボード本体を前棚部及び後棚部に支持するので、ボード本体を水平姿勢で確実に保持でき、ボード後部が下方へ折り曲げられた状態でボード本体と後部荷室のフロアとの間の後端を塞ぐので、このボード後部により、後部荷室の後方からボード本体と後部荷室のフロアとの間が見えないようにして、後部荷室の見栄えを良くすることができる。
【００２７】
請求項７の自動車の後部荷室構造によれば、各サイドトリムに、その前部にトリム前側壁を形成するとともに、その後部にトリム前側壁よりも車幅方向内側に位置するトリム後側壁を形成し、トリム前側壁に前棚部を車幅方向内方へ凸状に設け、トリム後側壁に後棚部を車幅方向内方へ凸状に設け、トリム後側壁の前端縁と前棚部を形成する前棚部材との間に溝部を形成したので、トランクボードの左右幅を左右１対のトリム後側壁間の間隔にし、左右１対の突出部を左右１対のトリム前側壁に近接状に設けて、トランクボードと１対のサイドトリム間の隙間を極力無くすことができ、しかも、トリム後側壁の前端縁と前棚部材とを利用して溝部を容易に形成することができる。
【発明を実施するための最良の形態】
【００２８】
本発明の自動車の後部荷室構造は、自動車の後部荷室に設置されるトランクボードを所定の下方位置と上方位置とに択一的に切換えて前記両位置に夫々水平姿勢で保持可能に構成されたものである。
【実施例】
【００２９】
図１〜図９に示すように、自動車１には後部座席２の後側に後部荷室３が設けられ、その後部荷室３は、リヤフロアパネル４、左右１対のリヤサイドパネル５、リヤエンドパネル６、左右１対のリヤサイドトリム７等で形成され、後部荷室３の後端のリヤゲート８により荷室開口９が形成され、その荷室開口９がバックドア（図示略）により開閉される。
【００３０】
リヤフロアパネル４には、タイヤ収容凹部４ａが形成され、そのタイヤ収容凹部４ａにタイヤ（図示略）が収容され、必要に応じて、タイヤ収容凹部４ａにジャッキ等の工具が収容され、或いは、ジャッキ等の工具を収容する工具収容凹部（図示略）がリヤフロアパネル４に別途形成されている。リヤサイドトリム７は合成樹脂製であり、１対のリヤサイドトリム７は１対のリヤサイドパネル５に複数のボルト７ａ等で取付けられている。
【００３１】
本実施例の後部荷室構造１０は、この後部荷室３に設置されるトランクボード１１を所定の下方位置（図２、図６参照）と上方位置（図４、図５、９参照）とに択一的に切換えて、下方位置と上方位置に夫々水平姿勢で保持可能に構成したものである。
【００３２】
図１〜図９に示すように、後部荷室構造１０は、トランクボード１１、左右１対の前棚部材１２、左右１対の後棚部材１３、左右１対の溝部１４を備え、１対の前棚部材１２及び後棚部材１３及び溝部１４は、１対のリヤサイドトリム７に夫々設けられている。
【００３３】
ここで、各リヤサイドトリム７には、その前部にトリム前側壁７ｂが形成されるとともに、その後部にトリム前側壁７ｂよりも車幅方向内側に位置するトリム後側壁７ｃが形成され、トリム前側壁７ｂに前棚部材１２が車幅方向内方へ凸状に設けられ、トリム後側壁７ｃに後棚部材１３が車幅方向内方へ凸状に設けられ、トリム後側壁７ｃの前端縁と前棚部材１２との間に、車幅方向内方へ開口する溝部１４が形成されている。
【００３４】
次に、トランクボード１１、各前棚部材１２、各後棚部材１３、各溝部１４について、図１〜図９に基づいて詳細に説明する。
【００３５】
トランクボード１１は、ボード本体２０と、このボード本体２０の後端部に連結部２２を介して下方へ折り曲げ可能に連結されたボード後部２１とを有し、トランクボード１１の前端部分に、左右１対の突出部２３が車幅方向両外側へ突出状に設けられている。１対の突出部２３はボード本体２０の前端部分に一体形成されている。このトランクボード１１は合成樹脂材料を主体に構成されている。
【００３６】
トランクボード１１の前後長は、リヤフロアパネル４の前後長と略同じであり、その前後長の前側約３／４部分にボード本体２０が形成され、後側約１／４部分にボード後部２１が形成されている。ボード本体２０の１対の突出部２３を含む前端部分の左右幅は、左右１対のトリム前側壁７ｂ間の間隔と略同じであり、ボード本体２０の前端部分以外の部分とボード後部２１の左右幅は、左右１対のトリム後側壁７ｃ間の間隔と略同じである。
【００３７】
トランクボード１１の上下厚さは、その連結部２２を除いて全て同じ厚さであって、トランクボード１１上に荷物を載置可能な適当な厚さ（例えば、１０〜３０mm）であり、突出部２３は、例えば、上下厚さと前後幅の比率が約１：５となる断面矩形状に形成されている。連結部２２は、ボード本体２０とボード後部２１との境界部分を下側から断面山形にカットしたようにして、ボード本体２０の後端部とボード後部２１の前端部の上端同士を接続する構造であり、その薄肉部によって、ボード本体２０に対してボード後部２１を下方へ折り曲げ可能になっている。
【００３８】
前棚部材１２は、トリム前側壁７ｂに、その本体側壁から車幅方向内方へ突出するように一体形成され、この前棚部材１２は、側面視にて略Ｌ形に形成された前棚部材上部３０と、側面視にて略逆三角形に形成された前棚部材下部３５とを有する。尚、前棚部材１２は、その車幅方向内端位置が、トリム後側壁７ｃの本体側壁の内端位置と略一致するように形成されている。
【００３９】
前棚部材上部３０には、上方位置のトランクボード１１の突出部２３を支持する前棚部３１と、上方位置のトランクボード１１の突出部２３を前側から係止するストッパー部３２が形成されている。前棚部３１はトランクボード１１の突出部２３の前後幅と略同じ前後幅を有し、ストッパー部３２は前棚部３１の前端から上方へ延びその上端部分で後方へ少し傾いている。前棚部材下部３５にボルト７ａが挿通され、この前棚部材下部３５とリヤサイドパネル５がボルト７ａを介して連結されている。
【００４０】
前棚部材下部３５の後部下端部には、前方程下方へ移行するように約４０度に傾斜した傾斜壁３６が形成されている。トリム後側壁７ｃの前端縁は、前方程下方へ移行するように約４０度に傾斜した傾斜壁７ｄを有し、これら傾斜壁３６，７ｄと、これら傾斜壁３６，７ｄの間のトリム前側壁７ｂの本体側壁とにより、トランクボード１１を下方位置と上方位置の一方から他方へ切換える際に、トランクボード１１の突出部２３を通過させる傾斜状の溝部１４が形成されている。つまり、溝部１４は、前棚部３１から連続して前方程下方へ移行する約４０度の傾斜状に形成されている。
【００４１】
ここで、図１０に示すように、トランクボード１１が水平姿勢のときに突出部２３の上下厚さａが溝部１４の溝幅ｃよりも小さくなるように、且つ、突出部２３の前後幅ｂが溝部１４の前後幅ｄよりも大きくなるように、突出部２３と溝部１４が形成されている。
【００４２】
従って、図１１に実線で示すように、トランクボード１１を溝部１４の傾斜角度と同角度（約４０度）になる傾斜姿勢にすると、突出部２３が溝部１４を通過可能になり、トランクボード１１を水平姿勢にすると、突出部２３が溝部１４を通過不能になり、前記ａ〜ｄ等の関係から、図１１に鎖線で示すように、トランクボード１１の水平姿勢と前記傾斜姿勢の間の適当な角度を境にした姿勢切換えを行うことで、突出部２３の溝部１４への通過可能と通過不能との切換えを行うことができる。
【００４３】
ここで、後部荷室３のフロアを形成するリヤフロアパネル４の近傍部には、下方位置のトランクボード１１の前端部を支持する支持部４ｂが設けられ、この支持部４ｂを支点にトランクボード１１を上方へ回動可能に構成されている。支持部４ｂは、前棚部材１２（前棚部３１）よりも前方且つ下方に設けられ、例えば、トランクボード１１の前端部を前側から係止可能に、リヤフロアパネル４に形成された、又は、リヤフロアパネル４に固定された、段部や突起部や平坦部によって構成されている。
【００４４】
さて、前棚部材下部３５の前部下端部には、支持部４ｂ又はその近傍部を中心とする円弧壁３７が形成されている。この円弧壁３７と支持部４ｂ間の距離は、少なくともトランクボード１１が水平姿勢のときの突出部２３の前後方向幅ｂよりも大きく形成されている。つまり、トランクボード１１を支持部４ｂを支点に上方へ回動させた際に突出部２３が前棚部材１２と干渉しないように、突出部２３を逃す逃し部３８が前棚部材１２の下側に形成されている。
【００４５】
後棚部材１３は、トリム後側壁７ｃの後端部分に、その本体側壁から車幅方向内方へ突出するように一体形成され、側面視にて外周壁が前端から下端に亙って円弧状に延びる所定幅の円弧帯形に形成されている。後棚部材１３の上端部に、上方位置のトランクボード１１の後端部分の車幅方向外縁部を支持する後棚部４０が形成されている。この後棚部４０は前棚部３１と同じ高さである。
【００４６】
後棚部材１３は、トランクボード１１が下方位置に水平姿勢で位置しているときのボード後部２１の上側に位置するとともに、トランクボード１１を支持部４ｂを支点に上方へ回動させた際にボード後部２１を下方へ折り曲げて上方へ通過させ得る、この後棚部材１３の外周円弧壁からなるボード後部案内部４１を有する。トリム後側壁７ｃのうち後棚部材１３の下側近傍部にボルト７ａが挿通され、このトリム後側壁７ｃの部分とリヤサイドパネル５がボルト７ａを介して連結されている。
【００４７】
図２、図６に示すように、トランクボード１１が下方位置に位置しているときに、ボード本体２０とボード後部２１が共に水平姿勢になってリヤフロアパネル４に支持され、図４、図５、図９に示すように、トランクボード１１が上方位置に位置しているときに、ボード本体２０が略水平姿勢になって前棚部３１及び後棚部４０に支持されるとともに、ボード後部２１が下方へ折り曲げられ後方程下方へ移行する傾斜姿勢で、ボード後部２１の後端部が後部荷室３のゲート８の下側の後内壁に係止されて、ボード本体２０とリヤフロアパネル４との間の後端を塞ぐように構成されている。
【００４８】
以上説明した後部荷室構造１０の作用・効果について説明する。
前記のように、図２、図６が、トランクボード１１が下方位置に位置している状態を示し、図４、図５、図９が、トランクボード１１が上方位置に位置している状態を示しているが、トランクボード１１を下方位置と上方位置とに択一的に切換えて下方位置と上方位置に夫々水平姿勢で保持可能に構成されている。
【００４９】
トランクボード１１を下方位置から上方位置へ切換える場合、先ず、図６に鎖線で示すように、トランクボード１１の後部を持ち上げるようにして、支持部４ｂを支点にトランクボード１１を上方へ回動させる。ここで、ボード本体２０を持ち上げることが好ましく、そのために、ボード本体２０の後端部分に左右１対の紐等を設けることが好ましい。トランクボード１１が支持部４ｂを支点に上方へ回動すると、トランクボード１１のボード後部２１が、後棚部材１３のボード後部案内部４１により下方へ折り曲げられて、図７に鎖線で示すように、後棚部材１３を通過して後棚部材１３よりも上方へ移動する。
【００５０】
ボード後部２１が後棚部材１３を通過するまでに、トランクボード１１を支持部４ｂを支点に上方へ４５度程度回動させ、このとき、トランクボード１１の突出部２３の上端が前棚部材１２の下端よりも高くなるが、前棚部材１２に円弧壁３７を形成して、その下側に逃し部３８を形成したので、逃し部３８により、突出部２３が前棚部材１２と干渉して回動不能になることはない。
【００５１】
ボード後部２１が後棚部材１３を通過した後、図７に実線で示すように、トランクボード１１を下方へ回動させながら後方へスライドさせ、トランクボード１１の突出部２３の上端を、前棚部材１２の下端よりも低くして後方へ移動させて、溝部１４の下端に臨ませ、次に、トランクボード１１を溝部１４の傾斜角度と略同角になる傾斜姿勢にして、トランクボード１１を後方斜め上側へ引き上げると、図８に示すように、突出部２３が溝部１４に係合して、溝部１４を下側から上側へ通過する。
【００５２】
前記のように、図７に鎖線で示す状態から、トランクボード１１を下方へ回動させながら後方へスライドさせて、突出部２３の上端を溝部１４の下端に臨ませるようにするが、ここで、突出部２３の上端が前棚部材１２の下端よりも高いと、前棚部材１２の円弧壁３７に引っ掛かって後方へスライドさせることはできない。
【００５３】
そこで、トランクボード１１を更に下方へ回動させることになるが、そのとき、トランクボード１１を後方へスライドする力も付与しておくことで、突出部２３の上端が前棚部材１２の下端よりも低くなると、直ちに、トランクボード１１が後方へスライドして、突出部２３の上端が溝部１４の下端に臨み、このとき、トランクボード１１の姿勢も突出部２３が溝部１４を通過可能な傾斜姿勢となるため、一気に、トランクボード１１を後方斜め上側へ引き上げて、突出部２３を溝部１４を通過させることができる。
【００５４】
突出部２３が溝部１４を下側から上側へ通過した後、図９に示すように、トランクボード１１を水平側へ倒して、ボード本体２０の前端部分の突出部２３を前棚部材１２に形成された前棚部３１に、ボード本体２０の後端部分の車幅方向外縁部を後棚部材１３に形成された後棚部４０に夫々載置し、その際、ボード後部２１を傾斜姿勢にして、ボード後部２１の後端部を後部荷室３のゲート８の下側の後内壁に係止させ、ボード本体２０とリヤフロアパネル４との間の後端を塞ぐようにする。
【００５５】
この後部荷室構造１によれば、トランクボード１１に左右１対の突出部２３を車幅方向両外側へ突出状に設け、左右１対のリヤサイドトリム７に左右１対の前棚部３１と左右１対の後棚部４０とを車幅方向内方へ凸状に設け、１対のリヤサイドトリム７に左右１対の傾斜状の溝部１４を車幅方向内方へ開口するように設け、トランクボード１１を下方位置と上方位置の一方から他方へ切換える際に、トランクボード１１の１対の突出部２３を１対の溝部１４を通過させるが、トランクボード１１が水平姿勢のときに突出部２３の上下厚ａさが溝部１４の溝幅ｃよりも小さくなるように且つ突出部２３の前後幅ｂが溝部１４の前後幅ｄよりも大きくなるように、突出部２３と溝部１４を形成した。
【００５６】
従って、トランクボード１１を溝部１４の傾斜角度と同角度になる傾斜姿勢にすると、突出部２３が溝部１４を通過可能になり、トランクボード１１を水平姿勢にすると、突出部２３が溝部１４を通過不能になり、突出部２３と溝部１４の前記大小関係を維持して、トランクボード１１の水平姿勢と前記傾斜姿勢の間の適当な角度を境にした姿勢切換えを行うことで、突出部２３の溝部１４への通過可能と通過不能との切換えを行うことができるので、トランクボード１１を下方位置から上方位置へ切換える際に、突出部２３が溝部１４を下側から上側へ通過した後に、トランクボード１１を水平側へ倒すことで、突出部２３が不用意に溝部１４を通って下方へ移動しないようになり、このトランクボード１１の位置切換え作業をスムーズに容易に行うことができ、その結果、後部荷室３の使い勝手を良くして利便性を大幅に高めることができる。
【００５７】
しかも、前棚部３１と後棚部４０と溝部１４をリヤサイドトリム７に一体形成して容易に設けたので、また、突出部２３もトランクボード１１に一体形成して容易に設けたので、部品点数の増加を抑えて構造を簡単化して、前記効果を達成でき、更に、特許文献１のような可動部材も不要であるので、トランクボード１１を下方位置と上方位置の一方から他方へ切換える動作の信頼性を長期に亙って確保できる。
【００５８】
突出部２３をトランクボード１１の前端部分に設けたので、トランクボード１１の形状を簡単化できて、トランクボード１１の生産性を高めることができ、トランクボード１１の突出部２３を支持する左右１対の前棚部３１とトランクボード１１の後部を支持する左右１対の後棚部４０とを設けたので、トランクボード１１を上方位置に水平姿勢で確実に保持でき、溝部１４を前棚部３１から連続して前方程下方へ移行する傾斜状に形成したので、トランクボード１１を前方程下方へ移行する傾斜姿勢にして、突出部２３を溝部１４を通過させることができ、トランクボード１１を下方位置と上方位置の一方から他方へ一層簡単に切換えることができる。
【００５９】
リヤフロアパネル４の近傍部に下方位置のトランクボード１１の前端部を支持する支持部４ｂを設け、この支持部４ｂを支点にトランクボード１１を上方へ回動可能に構成したので、トランクボード１１を下方位置から上方位置へ切換える際に、水平姿勢のトランクボード１１を支持部４ｂを支点に上方へ回動させて前方程下方へ移行する傾斜姿勢に容易に切換えることができる。
【００６０】
トランクボード１１は、ボード本体２０と、このボード本体２０の後端部に下方へ折り曲げ可能に連結されたボード後部２１とを有し、後棚部材１３は、トランクボード１１が下方位置に水平姿勢で位置しているときのボード後部２１の上側に位置するとともに、トランクボード１１を支持部４ｂを支点に上方へ回動させた際にボード後部２１を下方へ折り曲げて上方へ通過させ得るボード後部案内部４２を有する。
【００６１】
従って、後棚部材１３を後棚部４０で上方位置のトランクボード１１の後部を確実に支持できる位置に且つ高い支持剛性が得られる形状で設けるとともに、後棚部材１３の近傍でトリム後側壁７ｃをサイドパネル３にボルト７ａで取付けるため、支持剛性を確実に高めることができ、また、トランクボード１１を下方位置から上方位置へ切換える際に、ボード本体２０を持ってトランクボード１１を支持部４ａを支点に上方へ回動させると、後棚部材１３のボード後部案内部４１でボード後部２１を自然に確実に下方へ折り曲げて後棚部材１３の上方へ通過させて、トランクボード１１（ボード本体２０）を前方程下方へ移行する傾斜姿勢に切換えることができる。
【００６２】
支持部４ａを前棚部３１（前棚部材１２）よりも前方且つ下方に設け、トランクボード１１を支持部４ａを支点に上方へ回動させた際に突出部２１が前棚部材１２と干渉しないように、突出部２３を逃す逃し部３８を前棚部材１２の下側に形成したので、トランクボード１１を下方位置から上方位置へ切換える際に、突出部２３と溝部１４とが近い位置関係で、トランクボード１１を支持部４ａを支点に上方へ回動させて前方程下方へ移行する傾斜姿勢に切換えることができ、依って、トランクボード１１の傾斜姿勢への切換え後に、突出部２３を溝部１４を通過させ易くでき、また、前棚部材１２を前棚部３１で上方位置のトランクボード１１の突出部２３を支持する高い支持剛性が得られる形状で設けることができ、この前棚部材１２自体がサイドパネル３にボルト７ａで取付けるため、支持剛性を確実に高めることができる。
【００６３】
トランクボード１１が上方位置に位置しているときに、ボード本体２０を前棚部３１及び後棚部４９に支持するので、ボード本体２０を水平姿勢で確実に保持でき、ボード後部２１が下方へ折り曲げられた状態でボード本体２０とリヤフロアパネル４との間の後端を塞ぐので、このボード後部２１により、後部荷室３の後方からボード本体２０とリヤフロアパネル４との間が見えないようにして、後部荷室３の見栄えを良くすることができる。
【００６４】
各リヤサイドトリム７に、その前部にトリム前側壁７ｂを形成するとともに、その後部にトリム前側壁７ｂよりも車幅方向内側に位置するトリム後側壁７ｃを形成し、トリム前側壁７ｂに前棚部３１を車幅方向内方へ凸状に設け、トリム後側壁７ｃに後棚部４０を車幅方向内方へ凸状に設け、トリム後側壁４ｃの前端縁と前棚部材１２との間に溝部１４を形成したので、トランクボード１１の左右幅を左右１対のトリム後側壁４ｃ間の間隔にし、左右１対の突出部２３を左右１対のトリム前側壁７ｂに近接状に設けて、トランクボード１１と１対のリヤサイドトリム７間の隙間を極力無くすことができ、しかも、トリム後側壁７ｃの前端縁と前棚部材１２とを利用して溝部１４を容易に形成することができる。
【００６５】
尚、本発明の趣旨を逸脱しない範囲において、前記開示事項以外の種々の変更を付加して実施可能であり、後部荷室を備えた種々の自動車の後部荷室構造に、本発明を適用することができる。
【図面の簡単な説明】
【００６６】
【図１】後部荷室構造のトランクボードがない状態の前方斜視図である。
【図２】後部荷室構造のトランクボードが下方位置にある状態の前方斜視図である。
【図３】後部荷室構造のトランクボードが位置切換え途中状態の前方斜視図である。
【図４】後部荷室構造のトランクボードが上方位置にある状態の前方斜視図である。
【図５】後部荷室構造のトランクボードが上方位置にある状態の後方斜視図である。
【図６】後部荷室構造のトランクボードが下方位置にある状態の内側の側面図である。
【図７】後部荷室構造のトランクボードが位置切換え途中状態の内側の側面図である。
【図８】後部荷室構造のトランクボードが位置切換え途中状態の内側の側面図である。
【図９】後部荷室構造のトランクボードが上方位置にある状態の内側の側面図である。
【図１０】トランクボードの突出部と溝部との関係を示す図である。
【図１１】トランクボードの突出部と溝部との関係を示す図である。
【符号の説明】
【００６７】
１  自動車
３  後部荷室
４  リヤフロアパネル
４ｂ  支持部
７  リヤサイドトリム
７ｂ  トリム前側壁
７ｃ  トリム後側壁
１０  後部荷室構造
１１  トランクボード
１２  前棚部材
１３  後棚部材
１４  溝部
２０  ボード本体
２１  ボード後部
２３  突出部
３１  前棚部
３８  逃し部
４０  後棚部
【図１】
2008150003.tif 000003
【図２】
2008150003.tif 000004
【図３】
2008150003.tif 000005
【図４】
2008150003.tif 000006
【図５】
2008150003.tif 000007
【図６】
2008150003.tif 000008
【図７】
2008150003.tif 000009
【図８】
2008150003.tif 000010
【図９】
2008150003.tif 000011
【図１０】
2008150003.tif 000012
【図１１】
2008150003.tif 000013